(57)【要約】  【課題】  壁または天井からの監視カメラの突出量を少なくすることができるとともに、監視カメラの撮像方向を簡単に変更することができる監視カメラ装置を提供すること。  【解決手段】  監視カメラ装置１を、埋込ボックス５に挿入されるとともに監視カメラ４が収納された第１収納部６と、壁２から突出するとともに監視カメラ４を覆う第２収納部７とを備えたケース３と、第１収納部６内で監視カメラ４を収納するとともに、第１収納部６から引き出された引き出し位置で監視カメラ４を移動自在に支持する固定支持手段とを含んで構成する。【選択図】  図２
2005167922.tif 000002
【特許請求の範囲】
【請求項１】
壁または天井に埋め込まれた装着部に装着される監視カメラ装置であって、
前記装着部に挿入されるとともに監視カメラが収納された第１収納部と、前記壁または天井から突出するとともに前記監視カメラを覆う第２収納部とを備えたケースと、
前記第１収納部内で前記監視カメラを固定するとともに、前記監視カメラが前記第１収納部から引き出された引き出し位置で前記監視カメラを回転自在に支持する固定支持手段とを備えたことを特徴とする監視カメラ装置。
【請求項２】
前記固定支持手段は、前記監視カメラを保持する回転座と、前記第１収納部の開口端に設けられ、前記回転座を回転自在に支持する回転座支持部材と、前記回転座に設けられ、前記監視カメラの引き出し方向に沿って延在するスリットが形成されたガイドレールと、前記監視カメラに設けられ、前記スリットに摺動自在に嵌合される嵌合部材と、前記監視カメラを前記ケースに固定する固定部材とを備えたことを特徴とする請求項１に記載の監視カメラ装置。
【請求項３】
前記回転座に設けられ、突出面が曲面状に形成された突出部材と、前記監視カメラに設けられ、前記突出部材に摺接する曲面が形成された湾曲部材とを備え、
前記監視カメラを前記監視カメラの回転軸と直交する軸回りに揺動させるようにしたことを特徴とする請求項１または請求項２に記載の監視カメラ装置。
【請求項４】
前記ケースには前記監視カメラに接続される電気部品が収納されることを特徴とする請求項１乃至請求項３何れかに記載の監視カメラ装置。
【発明の詳細な説明】
【技術分野】
【０００１】
本発明は、例えば、 壁や天井に設置される防犯用の監視カメラ装置に関する。
【背景技術】
【０００２】
一般に、金融機関、オフィスビル、コンビニエンスストア等にあっては、防犯対策等のために部屋の天井や壁に監視カメラを設置することが多い。ところで、このような監視カメラを天井や壁に設置すると、健全な被撮影者が不快な思いをすることがある上に、監視カメラが天井や壁に不自然に設置されて見栄えが悪いことがある。
【０００３】
このため、従来では、壁や天井に監視カメラを設置したときに監視カメラをケースで覆うことにより、監視カメラが露出するのを防止するとともに見栄えの向上を図るようにしている。
【０００４】
従来のこの種の監視カメラ装置としては、例えば、特許文献１に示すようなものがある。特許文献１に示すものは、ドーム状のケースにＣＣＤ等の監視カメラを収納するとともにこの監視カメラを本体取付けシャーシの一面側に固定し、この本体取付けシャーシの他面側に設けられた柱状挿着部を天井や壁に開口された透孔に挿入し、柱状挿着部に設けられた板バネを透孔に嵌合させることにより、監視カメラを部屋の天井や壁に取付けるようになっている。このため、ドーム状のケースによって監視カメラを覆うことにより監視カメラが露出するのを防止することができるとともに、見栄えを向上させることができる。
【特許文献１】特願２０００−２０９４７１号公報
【発明の開示】
【発明が解決しようとする課題】
【０００５】
しかしながら、特許文献１に示す監視カメラ装置にあっては、監視カメラが本体取付けシャーシに固定されているため、監視カメラの撮像方向を変更する場合、例えば、監視カメラの撮像方向を９０゜回転させて撮像画像を横長画像から縦長画像に変更する場合に、監視カメラを本体取付けシャーシから取外して角度を変更した後、監視カメラを再度本体取付けシャーシに取付ける作業が必要になってしまい、監視カメラの角度の変更作業の作業性が悪化してしまうという問題があった。
【０００６】
また、特許文献１に示す監視カメラは壁や天井から突出しているので、監視カメラの突出量が多くなり、その分だけ監視カメラの露出度が多くなってしまう。これに対して、壁に監視カメラ収納用の埋込ボックスを埋設し、この埋込ボックスに監視カメラを収納して監視カメラの壁からの突出量を少なくするようにしたものがある。
【０００７】
しかしながら、埋込ボックスは規格品が多く、取付けスペースを大きくすることができないので、監視カメラの撮像方向を変更するためには、監視カメラを埋込ボックスから取外して監視カメラの角度を変更した後、監視カメラを再度本体取付けシャーシに取付ける作業が必要になってしまい、依然として監視カメラの角度の変更作業の作業性が悪化してしまうという問題があった。
【０００８】
本発明はこのような問題を解決するためになされたもので、壁や天井からの監視カメラの突出量を少なくすることができるとともに、監視カメラの撮像方向を簡単に変更することができる監視カメラ装置を提供するものである。
【課題を解決するための手段】
【０００９】
本発明の監視カメラ装置は、壁または天井に埋め込まれた装着部に装着される監視カメラ装置であって、前記装着部に挿入されるとともに監視カメラが収納された第１収納部と、前記壁または天井から突出するとともに前記監視カメラを覆う第２収納部とを備えたケースと、前記第１収納部内で前記監視カメラを固定するとともに、前記監視カメラが前記第１収納部から引き出された引き出し位置で前記監視カメラを回転自在に支持する固定支持手段とを備えたものから構成される。
【００１０】
この構成により、壁または天井に埋め込まれた装着部に挿入部を介して収納される監視カメラを、固定支持手段によって第１収納部から引き出した後、引き出し位置で監視カメラを回転させて監視カメラの撮像方向を変更した後、監視カメラを収納位置に移動させて第１収納部に収納する。この結果、壁または天井からの監視カメラの突出量を少なくすることができるとともに、監視カメラの撮像方向を簡単に変更することができる。
【００１１】
また、本発明の監視カメラ装置は、前記固定支持手段は、前記監視カメラを保持する回転座と、前記第１収納部の開口端に設けられ、前記回転座を回転自在に支持する回転座支持部材と、前記回転座に設けられ、前記監視カメラの引き出し方向に沿って延在するスリットが形成されたガイドレールと、前記監視カメラに設けられ、前記スリットに摺動自在に嵌合される嵌合部材と、前記監視カメラを前記ケースに固定する固定部材とを備えたものから構成される。
【００１２】
この構成により、収納位置に収納された監視カメラを引張ると、監視カメラの嵌合部がガイドレールのスリットに沿って移動するため、監視カメラが引き出し位置まで引き出される。このとき、回転座を回転座支持部材に対して回転させることにより、監視カメラの撮像方向を変更することができる。この結果、監視カメラの撮像方向を簡単な構成で変更することができる。
【００１３】
また、本発明の監視カメラ装置は、前記回転座に設けられ、突出面が曲面状に形成された突出部材と、前記監視カメラに設けられ、前記突出部材に摺接する曲面が形成された湾曲部材とを備え、前記監視カメラを前記監視カメラの回転軸と直交する軸回りに揺動させるようにしたものから構成される。
【００１４】
この構成により、監視カメラを監視カメラの回転軸と直交する軸回りに揺動させることができるので、監視カメラの撮像方向に加えて上下方向または左右方向における撮像範囲を可変することができる。
【００１５】
また、本発明の監視カメラ装置は、前記ケースには前記監視カメラに接続される電気部品が収納されるものから構成される。
【００１６】
この構成により、監視カメラに接続される電源、ハーネス、フォーカス調整用の駆動装置等の電気部品の収納スペースを確保することができる。
【発明の効果】
【００１７】
以上説明したように、本発明は、壁または天井からの監視カメラの突出量を少なくすることができるとともに、監視カメラの撮像方向を簡単に変更することができる監視カメラ装置を提供することができる。
【発明を実施するための最良の形態】
【００１８】
以下、本発明の実施の形態について、図面を用いて説明する。
【００１９】
図１乃至図８は本発明に係る監視カメラ装置の一実施の形態を示す図であり、本実施の形態の監視カメラ装置は壁に取付けられるものを例にしている。なお、監視カメラは壁ではなく天井に設けられても良い。
【００２０】
まず、構成を説明する。図１において、監視カメラ装置１は壁２に取付けられており、図２に示すように壁２に対して横方向に装着された長尺のケース３とケース３に収納された監視カメラ４とを備えている。
【００２１】
また、壁２の内部には装着部としての埋込ボックス５が埋設されており、この埋込ボックス５にはケース３が挿入された開口部５ａが形成され、この開口部５ａは壁２に開口されている。
【００２２】
ケース３は開口部５ａを通して埋込ボックス５に挿入される第１収納部６と、壁２から突出するとともに監視カメラ４を覆う第２収納部７とを備えており、第１収納部６には監視カメラ４が収納される。
【００２３】
この監視カメラ４は、第１収納部６に挿入され、第１収納部６の容積よりも小さい外径形状を有する本体フレーム８と、本体フレーム８に取付けられ、撮像レンズ９が装着されたレンズフレーム１０と、本体フレーム８に内蔵されたＣＣＤ等の撮像素子と、本体フレーム８に内蔵され、フランジバック調整を行うために撮像素子を撮像レンズ９に対して近接・離隔させるフォーカス調整リングを回動させる取っ手１１とを含んで構成される。また、本体フレーム８の開口端にはフロントカバー１２が取付けられており、監視カメラ４は外部から視認されないようになっている。
【００２４】
また、ケース３の第２収納部７には図示しない電源、監視カメラ４と監視用モニターおよびコンピュータの間に介装されるハーネス、取っ手１１を操作してフォーカス調整用リングを駆動する駆動装置等の電気部品が収納されている。
【００２５】
また、第１収納部６の開口端には回転座支持部材としての３つのガイドローラ１３が設けられており、このガイドローラ１３には回転座１４が回転自在に支持されている。この回転座１４には一対のガイドレール１５が設けられており、このガイドレール１５は監視カメラ４の引き出し方向および収納方向（矢印Ａで示す）に沿って延在するスリット１５ａが形成されている。監視カメラ４の本体フレーム８の両側部にはネジ穴８ａが形成されており、このネジ穴８ａにはスリット１５ａを通して嵌合部材としてのネジ１６が螺合されている。したがって、監視カメラ４はスリット１５ａに沿って第１収納部６に収納される収納位置と第１収納部６から引き出される引き出し位置の間で移動する。
【００２６】
また、監視カメラ４が引き出し位置に引き出されると回転座１４がガイドローラ１３に沿って回転することにより、監視カメラ４は矢印Ｂ方向に回転するようになっている。
【００２７】
また、第１収納部６の開口端にはネジ止め部１７が設けられており、図３に示すように監視カメラ４を第１収納部６に収納したときに、回転座１４をネジ１８で押圧しながらネジ１８をネジ止め部１７に螺合することにより、回転座１４をケース３に固定するようになっている。なお、ネジ止め部１７およびネジ１８は固定部材を構成している。
【００２８】
また、回転座１４には突出部材１９が設けられており、この突出部材１９の突出面には図５に示すように曲面状に形成されているとともに中央部にネジ穴１９ａが形成されている。また、監視カメラ４の本体フレーム８には湾曲部材２０が形成されており、この湾曲部材２０には突出部材１９に摺接する曲面が形成されているとともにネジ穴１９ａに螺合するネジ２１が挿通される挿通孔２０ａが形成されている。
【００２９】
したがって、本実施の形態の監視カメラ４は湾曲部材２０を突出部材１９に沿って摺接させることにより、監視カメラ４の回転軸（矢印Ａ軸回り）と直交する軸回りに揺動することができる。なお、本実施の形態では、ガイドローラ１３、回転座１４、ガイドレール１５、ネジ１６、１８およびネジ止め部１７が固定支持手段を構成している。
【００３０】
次に、監視カメラ装置１の撮像方向の変更方法を説明する。
【００３１】
監視カメラ装置１を壁２に取付ける際には、監視カメラ装置１の取付け態様に応じてケース３を横方向に設置する方法と縦方向に設置する方法があり、ケース３を横方向に設置する場合には、図１に示すように監視カメラ装置１のケース３を横に向けた状態で第１収納部６を埋込ボックス５に挿入し、図示しないネジ等によって埋込ボックス５に取付ける。
【００３２】
このとき、監視カメラ４の撮像方向は図２に示すように横長画像を撮像できるように本体フレーム８を横方向にして監視カメラ４を第１収納部６に収納している。
【００３３】
この状態で監視カメラ４の撮像方向を縦長画像が撮像できる位置にするには、監視カメラ４を９０゜回動させる必要がある。その場合には、まず、図３に示す状態にある監視カメラ装置１からフロントカバー１２を取外した後、ネジ２１を取外して監視カメラ４と回転座１４の係合を解除するとともにネジ１８を緩めて回転座１４とケース３の係合を解除した後、監視カメラ４を把持して図４に示すようにケース３の手前側に引き出す。
【００３４】
このとき、監視カメラ４に螺合されたネジ１６がスリット１５ａに沿って引き出し方向に移動するので、監視カメラ４が第１収納部６から引き出される。次いで、監視カメラ４を９０゜回動すると回転座１４がガイドローラ１３に沿って回転する。
【００３５】
次いで、監視カメラ４をケース３の奥側に押すと、監視カメラ４に螺合されたネジ１６がスリット１５ａに沿って引き出し方向と反対方向に移動するので、監視カメラ４が第１収納部６に収納される。
【００３６】
次いで、ネジ１８を締めて回転座１４とケース３に固定した後、ネジ２１を突出部材１９に螺合して監視カメラ４を回転座１４に固定し、ケース３にフロントカバー１２を取付ける。この結果、監視カメラ４の撮像方向が横長画像から縦長画像に変更される。
【００３７】
また、監視カメラ４の角度を調整する場合には、ネジ２１を締結する前に、監視カメラ４の湾曲部材２０を突出部材１９に沿って移動させることにより、監視カメラ４を矢印Ａ軸回りと直交する軸回りに揺動させて角度調整を行う。また、監視カメラ４の撮像方向を縦長画像から横長画像に変更する場合には、上記手順と反対の手順で監視カメラ４の撮像方向を変更する。
【００３８】
一方、壁２の角部に監視カメラ装置１を取付ける場合には、ケース３を横方向に位置させると監視カメラ装置１の壁２からの突出量が多くなってしまうので、ケース３を縦方向にして設置する。
【００３９】
この場合には、図６に示すように監視カメラ装置１のケース３を縦に向けた状態で第１収納部６を埋込ボックス５に挿入し、図示しないネジ等によって埋込ボックス５に取付ける。
【００４０】
このとき、監視カメラ４の撮像方向は図７に示すように横長画像を撮像できるように本体フレーム８を横方向にして監視カメラ４を第１収納部６に収納している。
【００４１】
この状態で監視カメラ４の撮像方向を縦長画像が撮像できる位置にするには、監視カメラ４を９０゜回動させる必要がある。その場合には、まず、図７に示す状態にある監視カメラ装置１からフロントカバー１２を取外した後、ネジ２１を取外して監視カメラ４と回転座１４の係合を解除するとともにネジ１８を緩めて回転座１４とケース３の係合を解除した後、監視カメラ４を把持して図８に示すようにケース３の手前側に引き出す。
【００４２】
このとき、監視カメラ４に螺合されたネジ１６がスリット１５ａに沿って引き出し方向に移動するので、監視カメラ４が第１収納部６から引き出される。次いで、監視カメラ４を９０゜回動すると回転座１４がガイドローラ１３に沿って回転する。
【００４３】
次いで、監視カメラ４をケース３の奥側に押すと、監視カメラ４に螺合されたネジ１６がスリット１５ａに沿って引き出し方向と反対方向に移動するので、監視カメラ４が第１収納部６に収納される。
【００４４】
次いで、ネジ１８を締めて回転座１４とケース３に固定した後、ネジ２１を突出部材１９に螺合して監視カメラ４を回転座１４に固定し、ケース３にフロントカバー１２を取付ける。この結果、監視カメラ４の撮像方向が横長画像から縦長画像に変更される。また、監視カメラ４の撮像方向を縦長画像から横長画像に変更する場合には、上記手順と反対の手順で監視カメラ４の撮像方向を変更する。
【００４５】
このように本実施の形態では、監視カメラ装置１を、埋込ボックス５に挿入されるとともに監視カメラ４が収納された第１収納部６と、壁２から突出するとともに監視カメラ４を覆う第２収納部７とを備えたケース３と、第１収納部６内で監視カメラ４を収納するとともに、監視カメラ４を第１収納部６から引き出された引き出し位置で監視カメラ４を移動自在に支持する固定支持手段とを含んで構成し、固定支持手段を、監視カメラ４を保持する回転座１４と、第１収納部６の開口端に設けられ、回転座１４を回転自在に支持するガイドローラ１３と、回転座１４に設けられ、監視カメラ４の引き出し方向に沿って延在するスリット１５ａが形成されたガイドレール１５と、監視カメラ４に設けられ、スリット１５ａに摺動自在に嵌合されるネジ１６と、監視カメラ４をケース３に固定するネジ止め部１７およびネジ１８とを含んで構成したので、壁２からの監視カメラ４の突出量を少なくすることができるとともに、監視カメラ４の撮像方向を簡単に変更することができる。
【００４６】
また、本実施の形態では、回転座１４に設けられ、突出面が曲面状に形成された突出部材１９と、監視カメラ４に設けられ、突出部材１９に摺接する曲面が形成された湾曲部材２０とを備え、監視カメラ４を監視カメラ４の回転軸と直交する軸回りに揺動させるようにしたので、監視カメラ４の撮像方向に加えて上下方向または左右方向における撮像範囲を可変することができる。
【００４７】
また、本実施の形態では、ケース３に監視カメラ４に接続される電源、ハーネス、フォーカス調整用の駆動装置等の電気部品を収納したので、これら電気部品を収納するスペースを確保することができる。
【産業上の利用可能性】
【００４８】
以上のように、本発明に係る監視カメラ装置は、壁または天井からの監視カメラの突出量を少なくすることができるとともに、監視カメラの撮像方向を簡単に変更することができるという効果を有し、 壁や天井に設置される防犯用の監視カメラ装置等として有用である。
【図面の簡単な説明】
【００４９】
【図１】本発明の一実施の形態に係る監視カメラ装置を壁に横方向に位置させて取付けた状態を示す図
【図２】一実施の形態の監視カメラ装置の分解図
【図３】一実施の形態の監視カメラを第１収納部に収納した状態を示す図
【図４】一実施の形態の監視カメラを第１収納部から引き出す状態を示す図
【図５】一実施の形態の監視カメラ装置の横断面図
【図６】一実施の形態に係る監視カメラ装置を壁に縦方向に位置させて取付けた状態を示す図
【図７】一実施の形態の縦方向に設置された監視カメラを第１収納部に収納した状態を示す図
【図８】一実施の形態の縦方向に設置された監視カメラを第１収納部から引き出す状態を示す図
【符号の説明】
【００５０】
１  監視カメラ装置
２  壁
３  ケース
４  監視カメラ
５  埋込ボックス（装着部）
６  第１収納部
７  第２収納部
１３  ガイドローラ（回転座支持部材）
１４  回転座
１５  ガイドレール
１５ａ  スリット
１６  ネジ（嵌合部材）
１７  ネジ止め部（固定部材）
１８  ネジ（固定部材）
１９  突出部材
２０  湾曲部材
【図１】
2005167922.tif 000003
【図２】
2005167922.tif 000004
【図３】
2005167922.tif 000005
【図４】
2005167922.tif 000006
【図５】
2005167922.tif 000007
【図６】
2005167922.tif 000008
【図７】
2005167922.tif 000009
【図８】
2005167922.tif 000010